(57)【要約】      （修正有）【課題】回転機能付き暖房器具あるいは焜炉を提供する。【解決手段】（イ）感温磁性材料でロ−タ−１を形成し、ロ−タ−１が回転できる機構を具備する。（ロ）ロ−タ−１の円周面近傍あるいは側面近傍に、磁石２を適度な台座９に固定し磁場を作る。（ハ）磁場近傍にバ−ナ−３を具備し、ロ−タ−１を感温磁性材料のキュリ−温度以下に保って磁場中に通した後、磁場中のロ−タ−１の所定の領域を、バ−ナ−３を用いて感温磁性材料のキュリ−温度あるいはそれ以上に加熱することでロ−タ−１を回転させる。【選択図】図１
2014204658.tif 000002
【特許請求の範囲】
【請求項１】
（イ）感温磁性材料でロ−タ−を形成し、ロ−タ−が回転できる機構を具備する。
（ロ）ロ−タ−の円周面近傍あるいは側面近傍に、磁石を適度な台座等に固定し磁場を作る。
（ハ）磁場近傍にバ−ナ−を具備し、ロ−タ−を感温磁性材料のキュリ−温度以下に保って磁場中に通した後、磁場中のロ−タ−の所定の領域を、バ−ナ−を用いて感温磁性材料のキュリ−温度あるいはそれ以上に加熱することでロ−タ−を回転させる。
以上を特徴とする回転機能付き暖房器具あるいは焜炉。
【発明の詳細な説明】
【技術分野】
【０００１】  本発明は、感温磁性材料のキュリ−温度前後で示す鋭敏な磁性／非磁性のスイッチング機能の特質的な磁気特性に着眼し、暖房器具や焜炉に応用した回転機能付き暖房器具あるいは焜炉に関するものである。
【背景技術】
【０００２】  従来、感温磁性材料のキュリ−温度近傍における磁化の変位を利用して熱エネルギ−を力学的エネルギ−に変換する方法や熱機関が考案されているが、力学的エネルギ−に変換できるのは一部であり、残りは熱エネルギ−のままである。
【先行技術文献】
【特許文献】
【０００３】
【特許文献１】特開平２−１０６１８３（磁性流体熱機関）
【特許文献２】特開平６−１４１５７１（磁性体熱機関）
【特許文献３】特開平６−１４１５７２（磁性体エンジン）
【非特許文献】
【０００４】
【非特許文献１】特願２０１２−５３７３１（ガス燃焼熱を電気に変換する方法およびガス燃焼熱発電機並びにガス燃焼熱発電機の製造方法）
【非特許文献２】見城尚志著、（モ−タ−のＡＢＣ）、講談社出版、Ｐ１９６〜Ｐ１９９
【非特許文献３】神山新一著、（磁性流体入門）、産業図書出版、Ｐ１１３〜Ｐ１１７
【発明の概要】
【発明が解決しようとする課題】
【０００５】  本発明は、従来の課題を解決し、熱エネルギ−を全て有効活用する目的からなされたものである。
【課題を解決するための手段】
【０００６】  上記の課題を解決する本発明は、以下の通りである。
（イ）感温磁性材料でロ−タ−を形成し、ロ−タ−が回転できる機構を具備する。
（ロ）ロ−タ−の円周面近傍あるいは側面近傍に、磁石を適度な台座等に固定し磁場を作る。
（ハ）磁場近傍にバ−ナ−を具備し、ロ−タ−を感温磁性材料のキュリ−温度以下に保って磁場中に通した後、磁場中のロ−タ−の所定の領域を、バ−ナ−を用いて感温磁性材料のキュリ−温度あるいはそれ以上に加熱することでロ−タ−を回転させる。
以上を特徴とする回転機能付き暖房器具あるいは焜炉。
【発明の効果】
【０００７】  本発明は、熱エネルギ−の一部は回転運動エネルギ−に変換し、残りの熱エネルギ−を有効に熱エネルギ−として活用したものである。【０００８】  感温磁性材料のキュリ−温度近傍での磁化の変位を応用して、熱エネルギ−を運動エネルギ−に変換できるので、この特質を暖房器具や焜炉に応用すると、回転運動でタ−ンテ−ブルを回して電気を必要としないタ−ンテ−ブル付きガス焜炉や、ファンを回して電気を必要としないファンヒ−タ−や発電機能の付いた暖房器具や焜炉とすることもできる。【０００９】  現在、感温フェライトやＦｅ−Ｎｉ，Ｆｅ−Ｎｉ−Ｃｒ等の金属感温磁性材料が生産され、電磁調理器の電磁誘導加熱材料や温度スイッチ材料とし限定的に使用されているが、今後はこれらの素材の生産が飛躍的に拡大して産業の発展に寄与できる一方、更に特性の優れた磁性材料の開発や応用が促進されるものと期待できる。
【図面の簡単な説明】
【００１０】
【図１】本発明の回転機能付き暖房器具あるいは焜炉の実施例の平面図である。
【図２】本発明の回転機能付き暖房器具あるいは焜炉の実施例の断面図である。
【図３】本発明の回転機能付き暖房器具あるいは焜炉の他の実施例の一部断面側面図である。
【図４】本発明の回転機能付き暖房器具あるいは焜炉の他の実施例の一部断面正面図である。
【図５】本発明の回転機能付き暖房器具あるいは焜炉の他の実施例の断面図である。
【図６】本発明の回転機能付き暖房器具あるいは焜炉の他の実施例の断面図である。
【発明を実施するための形態】
【００１１】  以下、本発明の実施の形態を図面に基づき詳細に説明する。
【００１２】  図１は、本発明の回転機能付き暖房器具あるいは焜炉の実施例の平面図であり、図２はその断面図である。
【００１３】  本実施例は、感温磁性材料メッシュで同心環状の円筒状のロ−タ−１を形成し、これを回転体５で支持し、ロ−タ−１の円周の内側に磁石２を水冷容器４に取付けて水冷容器４を台座９に固定し、ロ−タ−１の円周の外側にバ−ナ−３を配置した実施例であるが、実施におけるロ−タ−１は、所定の寸法の感温磁性材料薄板を適度な間隔で並べたり、所定の幅のある感温磁性材料薄板を所定の長さで折り曲げたり、所定の幅と肉厚のある感温磁性材料に適度な間隔で溝を入れたり、穴をあけたり、編目としたり、押し出し成型や鋳型での一体成型でもよく、また、無数の棒状、針状、管状、球状等の感温磁性材料片を容器等に収容してロ−タ−１を作ったり、メッシュに類似したもので作ることもできる。
【００１４】  ロ−タ−１の形状はこれ以外に、円盤状、円錐状あるいは無限軌道等とすることができる。
【００１５】  本実施例は、水冷容器４に磁石２を取付け、使用時に水冷容器４に水を入れて使用出来る実施例であるが、このように磁石２の温度上昇を低減する所作を講ずると、磁石２の磁力の低下を低減することができ、燃焼温度の高いバ−ナ−３を使用することができる。
【００１６】  バ−ナ−３は、一般的なガスバ−ナ−や石油バ−ナ−以外にト−チ式のバ−ナ−を用いることもできる。
【００１７】  本実施例は、磁石２を２個所に配置した実施例であるが、実施においては得ようとする回転力に応じて１個所あるいは複数個所とすることができる。
【００１８】  回転運動は、回転軸８を経由して取り出すことができ、実施においてはタ−ンテ−ブル等を回転させたり、ファンを回したり、発電機を回して発電したり様々な目的に使用できる。
【００１９】  図３は、同心環状の円筒状のロ−タ−を水平に配置した本発明の回転機能付き暖房器具あるいは焜炉の他の実施例の一部断面側面図であり、図４は一部断面正面図である。
【００２０】  図４、図５は、ト−チ式のバ−ナ−を用いた本発明の回転機能付き暖房器具あるいは焜炉の他の実施例である。
【００２１】  本発明は、回転機能付き暖房器具あるいは焜炉であるが、熱モ−タ−として利用することもできる。
【符号の説明】
【００２２】    １…ロ−タ−
２…磁石
３…バ−ナ−
４…水冷容器
５…回転体
６…軸受
７…受け台
８…回転軸
９…台座
１０…容器固定板
１１…ロ−タ−回転方向
【図１】
2014204658.tif 000003
【図２】
2014204658.tif 000004
【図３】
2014204658.tif 000005
【図４】
2014204658.tif 000006
【図５】
2014204658.tif 000007
【図６】
2014204658.tif 000008